(57)【特許請求の範囲】
【請求項１】
互いに対向して配置され、それぞれ長さ方向に多数のスロットが形成された第１および第２据え置き部；および
板状構造からなり、両側部にそれぞれ挿入溝が設けられて一側部が前記第１据え置き部のスロットに挿入結合され、他側部が前記第２据え置き部のスロットに挿入結合された多数の桟；を含み、
前記多数の桟は、それぞれ上面が水平をなし、下面が長さ方向に両側部から中央部に行くほど上向き傾斜した「∧」の形状からなることを特徴とする、組立式グリル。
【請求項２】
前記第１および第２据え置き部は、それぞれ上板、下板および側板を含んで後方側が開放された「⊂」の形状からなり、長さ方向に沿って一定の間隔で並んで配置されるものの、前記上板から前記側板に延びて前記多数の桟がそれぞれ挿入結合される前記多数のスロットを含む据置台を含むことを特徴とする、請求項１に記載の組立式グリル。
【請求項３】
前記第１および第２据え置き部は、それぞれ、前記上板の後方側から上部に折り曲げられて形成された取っ手；および
前記上板の後方側から下部に折り曲げられて形成された押され防止片；をさらに含み、
前記上板は長さ方向に両側部が前記下板よりも長く延びた延長片を具備することを特徴とする、請求項２に記載の組立式グリル。
【請求項４】
前記多数の桟は、それぞれ正面と後面とが平たい板状からなるものの、正面または後面のうち少なくともいずれか一面に油排出路が形成されたことを特徴とする、請求項１に記載の組立式グリル。
【請求項５】
両側部が前記第１および第２据え置き部に挿入結合された前記多数の桟の固定孔に、前記第１および第２据え置き部の長さ方向に貫通結合されて、前記多数の桟を前記第１および第２据え置き部に固定する第１および第２固定ピンをさらに含むことを特徴とする、請求項１に記載の組立式グリル。
【請求項６】
請求項１〜請求項５のいずれか一項に記載された組立式グリルが置かれる据え置きフレーム；
前記据え置きフレームの両側部を支持し、中央部に火鉢が置かれる支持脚；および
前記支持脚の外側に置かれて前記組立式グリルから落下する油を収集する油受け；を含むことを特徴とする、グリルブリッジ。
【発明の詳細な説明】
【技術分野】
【０００１】
本発明は組立式グリルおよびこれを具備したグリルブリッジに関するものであって、詳細には、分離が可能であるため洗浄が容易な組立式グリルおよびこれを具備したグリルブリッジに関するものである。
【背景技術】
【０００２】
一般に、キャンプや野営時に魚類、肉類または加工食品（ソーセージなど）などのような各種焼き物を焼いて摂食するために火鉢が使われる。火鉢は薪や炭を燃焼させて焼き物を焼く装置であって、薪や炭が燃焼する燃焼空間と、燃焼した薪や炭から発生する灰を収集するための灰受けなどを含む。
【０００３】
このような火鉢とグリル間の間隔を調整するためにグリルブリッジ（あるいは火鉢テーブルともいう）が使われる。グリルブリッジは中央部が開放された形態のテーブル構造からなり、その中央部の空間には火鉢が設置される。これに伴い、火鉢から提供される熱源によってその上部に設置されるグリルに置かれた各種焼き物が加熱されて調理される。
【０００４】
既存のグリルは、一般的に枠内部に格子形態のグリル網が溶接されて一体型に製作されるが、溶接がなされるコーナー部位の洗浄が難しいため衛生上好ましくなく、体積が大きいため余分のグリルを具備したり携帯するのが不便な短所があった。
【０００５】
このような問題を解決するために、大韓民国登録特許１０−１４２５５７０号（登録日：２０１４．０７．２５．）と、大韓民国登録特許１０−１４０７２１３２号（登録日：２０１４．０６．０５．）が提案されている。
【０００６】
大韓民国登録特許１０−１４２５５７０号は、焼き網棒収納溝部を具備した本体部と、前記焼き網棒収納溝部に組み立てられてグリル網を形成する多数の焼き網棒を具備して、前記焼き網棒を前記本体部の焼き網棒収納溝部から容易に分離させた後、それぞれの焼き網棒を洗浄することによって、既存の一体型グリル構造に比べて洗浄が容易な利点を提供することができた。
【０００７】
大韓民国登録特許１０−１４０７２１３２号も多数の挿入孔が形成された側板が設けられ、前記挿入孔に焼き網棒を挿入させてグリル網を形成することによって、大韓民国登録特許１０−１４２５５７０号と同様に前記焼き網棒を側板から容易に分離させた後、それぞれの焼き網棒を洗浄することによって既存の一体型グリル構造に比べて洗浄が容易な利点を提供した。
【０００８】
しかし、大韓民国登録特許１０−１４２５５７０号と大韓民国登録特許１０−１４０７２１３２号は、上面と下面が水平をなす円形構造の多数の焼き網棒を利用してグリル網を形成するため、グリル網の上部に置かれた各種焼き物から流出する油が前記焼き網棒に沿ってグリル網の下部に位置した火鉢に落下し、各種発癌性有害成分を含む煙を多量発生させるため、ユーザーの健康を害するなどの問題が発生する恐れがあった。
【発明の概要】
【発明が解決しようとする課題】
【０００９】
したがって、本発明は従来技術の問題点を解決するために提案されたものであって、次のような目的がある。
【００１０】
第１、本発明は、洗浄が容易な組立式グリルおよびこれを具備したグリルブリッジを提供することにその目的がある。
【００１１】
第２、本発明は、焼き物から流出する油を外側に排出させてグリルの下部に位置する火鉢に油が直接落下することを防止することによって、各種発癌性有害成分を含む煙の発生を最小化し、焼き物から流出する油を安定して収集できる。組立式グリルおよびこれを具備したグリルブリッジを提供することに他の目的がある。
【００１２】
第３、本発明は、構造が単純であり、組立および分離が簡便であるため老若男女の誰しも設置が容易な、組立式グリルおよびこれを具備したグリルブリッジを提供することにさらに他の目的がある。
【課題を解決するための手段】
【００１３】
前記した目的を達成するための一側面に係る本発明は、互いに対向して配置され、それぞれ長さ方向に多数のスロットが形成された第１および第２据え置き部と、板状構造からなり、両側部にそれぞれ挿入溝が設けられて一側部が前記第１据え置き部のスロットに挿入結合され、他側部が前記第２据え置き部のスロットに挿入結合された多数の桟を含むことを特徴とする、組立式グリルを提供する。
【００１４】
好ましくは、前記第１および第２据え置き部は、それぞれ上板、下板および側板を含んで後方側が開放された「⊂」の形状からなり、長さ方向に沿って一定の間隔で並んで配置されるものの、前記上板から前記側板に延びて前記多数の桟がそれぞれ挿入結合される前記多数のスロットを含む据置台を含むことを特徴とすることができる。
【００１５】
好ましくは、前記第１および第２据え置き部は、それぞれ前記上板の後方側から上部に折り曲げられて形成された取っ手と、前記上板の後方側から下部に折り曲げられて形成された押され防止片をさらに含み、前記上板は長さ方向に両側部が前記下板よりも長く延びた延長片を具備することを特徴とすることができる。
【００１６】
好ましくは、前記多数の桟は、それぞれ上面が水平をなし、下面が長さ方向に両側部から中央部に行くほど上向き傾斜した「∧」の形状からなることを特徴とすることができる。
【００１７】
好ましくは、前記多数の桟は、それぞれ正面と後面とが平たい板状からなるものの、正面または後面のうち少なくともいずれか一面に油排出路が形成されたことを特徴とすることができる。
【００１８】
好ましくは、両側部が前記第１および第２据え置き部に挿入結合された前記多数の桟の固定孔に、前記第１および第２据え置き部の長さ方向に貫通結合されて前記多数の桟を前記第１および第２据え置き部に固定する第１および第２固定ピンをさらに含むことを特徴とすることができる。
【００１９】
また、前記した目的を達成するための他の側面に係る本発明は、前記組立式グリルが置かれる据え置きフレームと、前記据え置きフレームの両側部を支持し、中央部に火鉢が置かれる支持脚と、前記支持脚の外側に置かれて前記組立式グリルから落下する油を収集する油受けを含むことを特徴とする、グリルブリッジを提供する。
【発明の効果】
【００２０】
以上で説明した通り、本発明によると、次のような効果を得ることができる。
【００２１】
第１、本発明によると、第１および第２据置台と、両側部が前記第１および第２据置台に挿入結合される方式で組み立てられる多数の桟を含む組立式グリルを提供することによって、洗浄時に前記桟を前記第１および第２据置台から容易に分離させることが可能であるため、前記第１および第２据置台と前記桟の洗浄が比較的容易な利点を提供することができる。
【００２２】
第２、本発明によると、上面は水平をなし、下面は両側部から中央部に行くほど上向き傾斜した構造、すなわち概略「∧」の形状からなる桟を提供することによって、前記桟の上部に置かれた焼き物から流出する油が前記桟の中央部で傾斜して配置された下面に沿って前記桟の外側、すなわち第１および第２据置台側に排出されてグリルの下部に位置する火鉢に油が直接落下することを防止することができる。
【００２３】
さらに、桟の正面または後面のうち少なくともいずれか一面に桟の中央部から両側に伸張した油排出路が形成されるため、前記油排出路を通じて焼き物を焼く過程で流出する油を外側に安定して排出されることによって、焼き物から流出した油が火鉢に直接落下して多量に煙が発生することを根本的に防止することができる。
【００２４】
第３、本発明によると、前記第１および第２据置台に互いに一定の間隔で離隔して配置されたスロットを形成し、これと対応して前記桟の両側部にそれぞれ挿入溝を形成することによって、前記桟の挿入溝を前記第１および第２据え置き部のスロットに挿入して結合させる単純な作業だけで容易にグリルの組立が可能であり、これに伴い、老若男女の誰しも容易に単純な作業だけでグリルを組み立てることができるため、ユーザーに使用上の便利性を提供することができる。
【００２５】
第４、本発明によると、前記桟を前記第１および第２据え置き部に結合させて組み立てさせた状態で、固定ピンを前記第１および第２据え置き部の長さ方向に前記桟の固定孔を貫いて結合させることによって、前記桟の両側部が前記固定ピンによって前記第１および第２据え置き部の据置台内で互いに安定して固定されるため、グリル使用中にユーザーの不注意によって前記桟が独立して前記第１および第２据え置き部から離脱することを防止して、桟の離脱によるユーザーの負傷を根本的に防止することができる。
【００２６】
第５、本発明によると、前記桟の両側部に外側に突出した指係止突起を具備するため、前記桟が前記第１および第２据え置き部に挿入結合されて組み立てられた状態で、ユーザーが前記桟を前記第１および第２据え置き部から分離しようとする時、ユーザーが自分の指を前記係止突起に係止して前記桟を上部方向に持ち上げる単純な操作だけで前記桟を前記第１および第２据え置き部から容易に分離することができる。
【００２７】
第６、本発明によると、前記第１および第２据え置き部は、据置台の上板後方側から下部に折り曲げられて形成された少なくとも一つの押され防止片を含むため、前記据え置き部がグリルブリッジの据え置きフレームの内側で流動が制限されて、安定して置かれ得る。
【図面の簡単な説明】
【００２８】
【図１】本発明の実施例に係る組立式グリルを図示した組立斜視図。
【図２】図１に図示された組立式グリルの分解斜視図。
【図３】図１に図示された組立式グリルを上から見た平面図。
【図４】図１に図示された組立式グリルを説明するために図示した図面。
【図５】図１に図示された第１および第２据え置き部の構造を説明するために図示した斜視図。
【図６】図１に図示された桟を説明するために図示した図面。
【図７】本発明の他の例に係る桟を説明するために図示した図面。
【図８】本発明に係る桟を第１および第２据え置き部に結合させる過程を図示した図面。
【図９】本発明の実施例に係るグリルブリッジを図示した組立斜視図。
【図１０】図９に図示されたグリルブリッジの分解斜視図。
【図１１】図９に図示されたグリルブリッジの正面図。
【図１２】図９に図示されたグリルブリッジの側面図。
【発明を実施するための形態】
【００２９】
以下、添付された図面を参照して本発明の技術的特徴を具体的に説明する。
【００３０】
図１は本発明の実施例に係る組立式グリルを図示した組立斜視図であり、図２は図１に図示された組立式グリルの分解斜視図であり、図３は図１に図示された組立式グリルを上から見た平面図であり、図４の（ａ）は図１に図示された組立式グリルを正面から見た正面図であり、図４の（ｂ）は図３に図示されたＩ−Ｉ´切取線に沿って図示した断面図である。
【００３１】
図１〜図４を参照すると、本発明の実施例に係る組立式グリル１０は、互いに対称構造からなる第１および第２据え置き部１１、１１´と、第１および第２据え置き部１１、１１´の間に挿入結合されて組み立てられる多数の桟を含む。また、本発明の実施例に係る組立式グリル１０は、第１および第２据え置き部１１、１１´の長さ方向に多数の桟に貫通結合される第１および第２固定ピン１３、１３´をさらに含むことができる。
【００３２】
図５は図１に図示された第１および第２据え置き部の構造を説明するために図示した斜視図であって、図５の（ａ）は第１および第２据え置き部を前方の一側から見た斜視図であり、図５の（ｂ）は図５の（ａ）に図示された第１および第２据え置き部を後方の一側から見た斜視図である。
【００３３】
図５の（ａ）を参照すると、第１および第２据え置き部１１、１１´は、それぞれ上板１１１−１と、下板１１１−２と、前方側に上板１１１−１と下板１１１−２を相互連結する側板１１１−３を含み、後方側が開放された「⊂」の形状からなる据置台１１１を含む。
【００３４】
上板１１１−１は、図５の（ａ）および（ｂ）に図示された通り、第１および第２据え置き部１１、１１´がグリルブリッジ（２０、図９参照）の据え置きフレーム２１に置かれるように、長さ方向に両側部が下板１１１−２の両側部に比べて外側に、より長く延びた延長片１１１−１ａを具備する。
【００３５】
据置台１１１には、多数の桟が挿入結合される多数のスロット１１１ａが、上板１１１−１から側板１１１−３に延びて長さ方向に沿って一定の間隔で並んで形成される。この時、スロット１１１ａ間の間隔は挿入結合される桟１２間の間隔を一定の大きさに維持させて各種焼き物から流出する油が桟１２の両側部に排出されることを妨げないように、０．６ｍｍ〜１ｍｍ、好ましくは、０．８ｍｍで離隔させて形成される。
【００３６】
据置台１１１は、上板１１１−１の後方側から上部に突出した取っ手１１２をさらに含むことができる。この時、取っ手１１２は、ユーザーが指で把持して据置台１１１を持ち上げることができるように、上板１１１−１の後方側から外側に傾斜するように折り曲げられることが好ましい。
【００３７】
図５の（ｂ）のように、据置台１１１は上板１１１−１の後方側から下部に折り曲げられて形成された少なくとも一つの押され防止片１１３をさらに含むことができる。この時、押され防止片１１３は据置台１１１がグリルブリッジ（２０、図９参照）の据え置きフレーム２１の内側に置かれた状態で、据え置きフレーム２１の内側に密着して焼き物を焼く過程で据置台１１１が据え置きフレーム２１の内側方向に押されることを防止する役割を遂行する。
【００３８】
図６は図１に図示された桟を説明するために図示した図面であって、図６の（ａ）は斜視図であり、図６の（ｂ）は図６の（ａ）に図示された桟を正面から見た正面図である。
【００３９】
図６を参照すると、桟１２は正面と後面とが平たい板状からなり、長さ方向に両側部には第１および第２据え置き部１１、１１´のスロット１１１ａに挿入結合される挿入溝１２ａが備えられる。この時、挿入溝１２ａは桟１２の下側に垂直方向に長く延びた長溝に形成されるものの、一側部が桟１２の下側に開口することによって、開口された部位を通じて第１および第２据え置き部１１、１１´のスロット１１１ａに挿入されて結合される。
【００４０】
図２および図６のように、桟１２は両側部にそれぞれ固定ピン１３、１３´が貫通結合される固定孔１２ｂが設けられる。これに伴い、多数の桟１２が第１および第２据え置き部１１、１１´に挿入結合された状態で、各桟１２の固定孔１２ｂを貫通して第１および第２据え置き部１１、１１´の長さ方向に結合される第１および第２固定ピン１３、１３´によって、桟１２が隣り合うもの同士で相互に固定されてグループ化されることによって、焼き物が置かれるグリル網が形成される。
【００４１】
固定ピン１３、１３´は図２および図４のように、ユーザーが手で容易に把持した状態で各桟１２の固定孔１２ｂを貫通して各桟１２を第１および第２据え置き部１１、１１´の長さ方向に結合させるために、終端部に取っ手１３ａ、１３ａ´が備えられ得る。
【００４２】
桟１２はまた図６のように、両側部に外側に突出した係止突起１２ｃをさらに具備することができる。係止突起１２ｃは桟１２が図１のように、第１および第２据え置き部１１、１１´のスロット１１１ａに挿入結合されて組み立てられた状態で、ユーザーが桟１２を第１および第２据え置き部１１、１１´から分離しようとする時、係止突起１２ｃを通じてユーザーの指に係止されるようにして桟１２を第１および第２据え置き部１１、１１´から容易に分離することができる。
【００４３】
桟１２は図６の（ａ）のように、上面１２１は水平をなし、下面１２２は両側部から中央部に行くほど上向き傾斜した構造、すなわち概略「∧」の形状で形成され得る。これに伴い、桟１２の上部に置かれた焼き物から流出する油が、桟１２の中央部から直接下部の火鉢に落下するのではなく、桟１２の両側部から中央部に行くほど上向き傾斜して形成された下面１２２に沿って桟１２の両側部に排出される。
【００４４】
また桟１２は図６の（ａ）に図示された通り、両側部の終端部１２３（挿入溝１２ａの外側）の下部が他の部位に比べて長さが短く形成され得るが、これを通じて桟１２の挿入溝１２ａを据置台１１１のスロット１１１ａに簡便に挿入して結合させることができる。
【００４５】
一方、桟１２の厚さは桟１２の上部に置かれた焼き物から流出する油を安定して外側に排出するために、１．５Ｔ、好ましくは１．０〜２．０Ｔに形成する。
【００４６】
図７は本発明の他の例に係る桟１２を説明するために図示した図面であって、図７の（ａ）は斜視図であり、図７の（ｂ）は図７の（ａ）に図示された桟１２を正面から見た正面図である。
【００４７】
図７を参照すると、本発明の他の例に係る桟１２´は、図６に図示された桟１２と同様に、挿入溝１２ａ´、固定孔１２ｂ´および係止突起１２ｃ´を含む。そして、これに加えて桟１２´の上部に置かれた焼き物から流出する油が下側に位置する火鉢に落下せずに、桟１２´の外側に誘導して安定して排出させる油排出路１２ｄ´が正面または後面のうち少なくともいずれか一面に形成され得る。
【００４８】
油排出路１２ｄ´は、桟１２´の中央部から両側に伸張したバーの形状に形成されるか、あるいは桟１２´の長さ方向に切断されずに連続的に連結された構造に形成され得る。また、桟１２´の下面構造に対応して、「∧」の形状に形成されてもよい。
【００４９】
このような油排出路１２ｄ´は図７のように、溝（凹）構造に形成され得るが、必ずしも溝の構造に限定されるものではなく、凸（エンボス）構造も含むことができる。例えば、正面には溝が形成され、これと対応して後面には凸構造が形成され得る。また、上下に積層された積層で配置されるか、あるいは単層構造で配置されてもよい。
【００５０】
本発明の他の例に係る桟１２´のように、桟１２´の正面または後面のうち少なくともいずれか一面に桟１２´の中央部から両側に伸張した油排出路１２ｄ´が形成されることによって、桟１２´の上部に置かれた焼き物から流出した油は桟１２´の上面に沿って下部に流れる過程で油排出路１２ｄ´に流入した後、中央部から両側部に行くほど下方傾斜して配置された油排出路１２ｄ´に沿って移動し、桟１２´の両側部、すなわち第１および第２据え置き部１１、１１´側に流れて排出されるようになる。
【００５１】
したがって、本発明の他の例に係る桟１２´は、桟１２´の正面または後面のうち少なくともいずれか一面に形成された油排出路１２ｄ´を通じて焼き物を焼く過程で流出する油を外側に安定して排出することによって、焼き物から流出した油が火鉢に直接落下して多量に煙が発生することを根本的に防止することができる。
【００５２】
図８は本発明に係る桟１２を第１および第２据え置き部に結合させる過程を図示した図面である。
【００５３】
図８の（ａ）および（ｂ）のように、第１および第２据え置き部１１、１１´を互いに対向して配置させた状態で、第１および第２据え置き部１１、１１´の上部に桟１２を位置させた後、桟１２を下方に下降させて桟１２の両側部にそれぞれ形成された挿入溝１２ａを第１および第２据え置き部１１、１１´のスロット１１１ａに挿入結合させることによって、桟１２を第１および第２据え置き部１１、１１´の間に組み立てる。これと同じ方式で残りの桟１２を第１および第２据え置き部１１、１１´に順に組み立てることによって、図１のようにグリル網を組立完了する。
【００５４】
このように、本発明の実施例に係る組立式グリル１０は、第１および第２据置台１１、１１´に互いに一定の間隔で離隔して配置されたスロット１１１ａを形成し、これと対応して桟１２の両側部にそれぞれ挿入溝１２ａを形成することによって、桟１２の挿入溝１２ａを第１および第２据え置き部１１、１１´のスロット１１１ａに挿入して結合させる単純な作業だけで容易にグリル網を組み立てることができる。したがって、老若男女の誰しも容易に単純な作業だけでグリル網を組み立てることができるので、使用が便利であり、大衆化に寄与することができる。
【００５５】
また、本発明の実施例に係る組立式グリル１０は、多数の桟１２を第１および第２据え置き部１１、１１´に結合させて組み立てさせた状態で、図２のように固定ピン１３、１３´を第１および第２据え置き部１１、１１´の長さ方向に多数の桟１２の固定孔１２ｂを貫通して結合させることによって、多数の桟１２の両側部が固定ピン１２ｂにより第１および第２据え置き部１１、１１´の据置台１１１内で互いに安定して固定される。したがって、使用中にユーザーの不注意によって多数の桟１２が独立して第１および第２据え置き部１１、１１´から離脱することが防止されて、ユーザーが負傷することを防止することができる。
【００５６】
図９は本発明の実施例に係るグリルブリッジを説明するために図示した組立斜視図であり、図１０は図９に図示されたグリルブリッジの分解斜視図であり、図１１は図９に図示されたグリルブリッジの正面図であり、図１２は図９に図示されたグリルブリッジの側面図である。
【００５７】
図９〜図１２を参照すると、本発明の実施例に係るグリルブリッジ２０は、グリル１０が置かれる据え置きフレーム２１と、据え置きフレーム２１の両側部を地面から一定の高さに離隔させて支持し、中央部に火鉢４０が置かれる支持脚２２を含む。また、支持脚２２の外側に置かれる油受け３０をさらに含むことができる。
【００５８】
据え置きフレーム２１は図１０のように、グリル１０が一定の深さに挿入されるように、中央部が貫通した構造で形成され得る。これに伴い、グリル１０は第１および第２据え置き部１１、１１´の両側部、すなわち据置台１１１の長さ方向に両側部（延長片）が据え置きフレーム２１に置かれた状態で、グリル１０の下部の一部が据え置きフレーム２１の中央部に引きこまれるようになる。
【００５９】
支持脚２２は図１０および図１１のように、互いに対称構造で据え置きフレーム２１の両側部に回動可能に結合されて、据え置きフレーム２１を地面から一定の高さに離隔させて支持する。このように、支持脚２２は据え置きフレーム２１の両側部に回動可能にヒンジ結合されるため、グリルブリッジ２０を使わない時は支持脚２２を据え置きフレーム２１と水平に対面するように支持脚２２を折り畳むことができ、携帯および保管が容易である。
【００６０】
支持脚２２は、上下向きに多段に積層された多数の引掛け棒２２１が備えられたはしご状に形成され得る。支持脚２２は図１１のように、中央部に火鉢４０が設置される空間部が設けられ、その外側、好ましくは、グリル１０の第１および第２据え置き部１１、１１´が置かれる方向に、外側には油受け３０が置かれる。
【００６１】
油受け３０は図１０のように、長さ方向に両側部に輪部３１が備えられて支持脚２２の引掛け棒２２１に置かれる。この時、油受け３０は支持脚２２の引掛け棒２２１に置かれた状態で、図１１のように、幅方向（油受け３０が置かれる方向）に少なくとも一部がグリル１０の第１および第２据え置き部１１、１１´と重なるように位置される。これに伴い、グリル１０の桟１２から第１および第２据え置き部１１、１１´に誘導された油は、第１および第２据え置き部１１、１１´から落下して油受け３０に収集される。
【００６２】
一方、本発明において、組立式グリル１０を除いた、グリルブリッジ２０の支持脚２２と火鉢４０の構造および形状は制限されず、多様な構造および形状が可能である。
【００６３】
以上のように、本発明の技術的思想は好ましい実施例で具体的に記述されたが、前記した好ましい実施例はその説明のためのものであり、それを制限するためのものではない。このように、この技術分野の通常の専門家であれば、本発明の技術思想の範囲内で本発明の実施例の結合を通じて多様な実施例が可能であることが理解できるはずである。
【符号の説明】
【００６４】
１０：組立式グリル
１１：第１据置台
１１´：第２据置台
１２：桟
１３：第１固定ピン
１３´：第２固定ピン
２０：グリルブリッジ
３０：油受け
４０：火鉢
【図１】
0006650029.tif 000002
【図２】
0006650029.tif 000003
【図３】
0006650029.tif 000004
【図４（ａ）】
0006650029.tif 000005
【図４（ｂ）】
0006650029.tif 000006
【図５（ａ）】
0006650029.tif 000007
【図５（ｂ）】
0006650029.tif 000008
【図６（ａ）】
0006650029.tif 000009
【図６（ｂ）】
0006650029.tif 000010
【図７（ａ）】
0006650029.tif 000011
【図７（ｂ）】
0006650029.tif 000012
【図８（ａ）】
0006650029.tif 000013
【図８（ｂ）】
0006650029.tif 000014
【図９】
0006650029.tif 000015
【図１０】
0006650029.tif 000016
【図１１】
0006650029.tif 000017
【図１２】
0006650029.tif 000018